(57)【要約】【課題】周囲への良好な配光と、フィンの放熱効率の向上とを両立できるとともに、組立性に優れたランプを提供する。【解決手段】ランプ１Ａは、複数の光源ユニット３を備える。複数の光源ユニット３により、ランプ軸線と直交する方向において、ランプ外部空間とランプ内部空間９との間が仕切られる。複数の光源ユニット３のそれぞれは、ランプ内部空間側の面に発光素子が配置された発光面を有する光源基板４と、光源基板４の発光面の反対側にあるベース部５と、ベース部５に支持され、光を拡散透過させるカバー部材６と、ベース部５から突出し、ランプ外部空間に面する放熱フィン７と、を備える。【選択図】図１
2018037342.tif 000002
【特許請求の範囲】
【請求項１】
複数の光源ユニットを備え、
前記複数の光源ユニットにより、ランプ軸線と直交する方向において、ランプ外部空間とランプ内部空間との間が仕切られ、
前記複数の光源ユニットのそれぞれは、
前記ランプ内部空間側の面に発光素子が配置された発光面を有する光源基板と、
前記光源基板の前記発光面の反対側にあるベース部と、
前記ベース部に支持され、光を拡散透過させるカバー部材と、
前記ベース部から突出し、前記ランプ外部空間に面する放熱フィンと、
を備えるランプ。
【請求項２】
前記複数の光源ユニットのうちの少なくとも一つは、前記光源基板の前記発光面を覆う光源カバーを備える請求項１に記載のランプ。
【請求項３】
前記光源カバーの少なくとも一部は、透明である請求項２に記載のランプ。
【請求項４】
前記光源カバーと前記カバー部材とが一体化した部品が前記ベース部に取り付けられている請求項２または請求項３に記載のランプ。
【請求項５】
前記複数の光源ユニットのそれぞれは、
前記カバー部材の末端に設けられた第一連結部と、
前記第一連結部と連結可能な形状を有する第二連結部と、
を備え、
各々の前記光源ユニットの前記第一連結部が、当該光源ユニットに隣り合う前記光源ユニットの前記第二連結部に連結されることで、前記複数の前記光源ユニットが環状に連結される請求項１から請求項４のいずれか一項に記載のランプ。
【請求項６】
前記第二連結部は、前記放熱フィンの一部である請求項５に記載のランプ。
【請求項７】
前記複数の光源ユニットのそれぞれは、
前記ベース部の長手方向に沿って延びる第一エッジ及び第二エッジと、
前記第一エッジから突出する前記カバー部材と、
前記第二エッジから突出する前記カバー部材と、
前記第一エッジから突出する前記カバー部材の末端に設けられた第一連結部と、
前記第二エッジから突出する前記カバー部材の末端に設けられ、前記第一連結部と連結可能な形状を有する第二連結部と、
を備え、
各々の前記光源ユニットの前記第一連結部が、当該光源ユニットに隣り合う前記光源ユニットの前記第二連結部に連結されることで、前記複数の前記光源ユニットが環状に連結される請求項１から請求項４のいずれか一項に記載のランプ。
【請求項８】
前記複数の光源ユニットのうちの少なくとも一つは、前記光源基板から発せられた光を狭配光化する配光制御要素を備える請求項１から請求項７のいずれか一項に記載のランプ。
【請求項９】
前記複数の光源ユニットのうちの少なくとも一つは、前記光源基板から発せられた光の少なくとも一部を、当該光源基板と、隣り合う前記光源ユニットの前記光源基板との間にある前記カバー部材へ向けて反射させるリフレクターを備える請求項１から請求項７のいずれか一項に記載のランプ。
【請求項１０】
前記ランプ軸線から前記カバー部材の外面までの最大距離は、前記ランプ軸線から前記放熱フィンの先端までの最大距離と同等か、またはそれより大きい請求項１から請求項９のいずれか一項に記載のランプ。
【請求項１１】
前記カバー部材は、前記放熱フィンに近接する近接部分を有し、
前記ランプ軸線から前記カバー部材の前記近接部分の外面まで距離は、前記ランプ軸線から前記放熱フィンの先端までの最大距離と同等か、またはそれより大きい請求項１から請求項１０のいずれか一項に記載のランプ。
【請求項１２】
前記カバー部材は、前記放熱フィンから最も遠い遠位部分を有し、
前記ランプ軸線から前記カバー部材の外面まで距離は、前記近接部分から前記遠位部分まで連続して、前記ランプ軸線から前記放熱フィンの先端までの最大距離と同等か、またはそれより大きい請求項１１に記載のランプ。
【請求項１３】
前記カバー部材に形成された第一出射面と、
前記カバー部材に形成され、前記放熱フィンを介して前記第一出射面と反対側にある第二出射面と、
を備え、
前記第一出射面から外側へ延びる仮想の第一法線と、前記第一法線と交わり、前記第二出射面から外側へ延びる仮想の第二法線とが存在する請求項１から請求項１２のいずれか一項に記載のランプ。
【請求項１４】
前記複数の光源ユニットのうちの少なくとも一つは、第一光放射部と、前記第一光放射部とは異なる方向へ光を放射する第二光放射部とを備える請求項１から請求項１３のいずれか一項に記載のランプ。
【請求項１５】
前記ランプ内部空間の端部に配置され、光を拡散透過させる端部カバーを備える請求項１から請求項１４のいずれか一項に記載のランプ。
【請求項１６】
ねじ込み式の口金を備える請求項１から請求項１５のいずれか一項に記載のランプ。
【請求項１７】
前記複数の光源ユニットのうちの少なくとも一つは、前記ランプ軸線に対して平行または傾斜した方向を長手方向とする形状を有する請求項１から請求項１６のいずれか一項に記載のランプ。
【発明の詳細な説明】
【技術分野】
【０００１】
本発明は、ランプに関する。
【背景技術】
【０００２】
ＬＥＤ（Ｌｉｇｈｔ  Ｅｍｉｔｔｉｎｇ  Ｄｉｏｄｅ）のような発光素子を光源に用いたランプが広く用いられている。下記特許文献１には、発光素子が実装される実装基板を有する平板状の光源ユニットの裏面を内側に向け、ランプ中心軸の周りに、上記光源ユニットを複数配置したランプが開示されている。このランプは、光源ユニットの裏面側に、放熱フィン、及び、空気が流通する空間を設けている。
【先行技術文献】
【特許文献】
【０００３】
【特許文献１】国際公開第２０１３／０６９４４６号
【発明の概要】
【発明が解決しようとする課題】
【０００４】
大光束のランプでは、発光素子の温度が高くなりやすい。発光素子の発熱により発光素子の温度が高くなると、エネルギー消費効率が低下したり、発光素子の寿命が短くなったりする。そのため、発光素子の温度が高くならないように、発光素子の熱を散逸させる放熱性を良好にすることが望まれている。大光束のランプは、例えば、天井のように気温の高い環境に設置されたり、街路灯のように密閉される器具に組み込まれたりするので、発光素子の温度上昇を抑制することが難しい。特許文献１のランプでは、放熱フィンが複数の光源ユニットで囲まれた内側の空間にあるため、当該空間に熱がこもり易く、放熱フィンからの放熱性が良くない。
【０００５】
本発明は、上述のような課題を解決するためになされたもので、周囲への良好な配光と、フィンの放熱効率の向上とを両立できるとともに、組立性に優れたランプを提供することを目的とする。
【課題を解決するための手段】
【０００６】
本発明に係るランプは、複数の光源ユニットを備え、複数の光源ユニットにより、ランプ軸線と直交する方向において、ランプ外部空間とランプ内部空間との間が仕切られ、複数の光源ユニットのそれぞれは、ランプ内部空間側の面に発光素子が配置された発光面を有する光源基板と、光源基板の発光面の反対側にあるベース部と、ベース部に支持され、光を拡散透過させるカバー部材と、ベース部から突出し、ランプ外部空間に面する放熱フィンと、を備えるものである。
【発明の効果】
【０００７】
本発明によれば、周囲への良好な配光と、フィンの放熱効率の向上とを両立できるとともに、組立性に優れたランプを提供することが可能となる。
【図面の簡単な説明】
【０００８】
【図１】実施の形態１のランプの斜視図である。
【図２】実施の形態１のランプをランプ軸線の方向（ランプ先端側）から見た図である。
【図３】実施の形態１のランプが備える３個の光源ユニットをランプ軸線の方向（ランプ先端側）から見た図である。
【図４】実施の形態１のランプが備える３個の光源ユニットをランプ軸線の方向（ランプ先端側）から見た図である。
【図５】実施の形態１のランプの斜視図である。
【図６】実施の形態１のランプの分解斜視図である。
【図７】実施の形態１のランプが備える光源カバーとカバー部材とが一体化した部品の断面図である。
【図８】実施の形態２のランプの斜視図である。
【図９】実施の形態２のランプをランプ軸線の方向（ランプ先端側）から見た図である。
【図１０】実施の形態３のランプの斜視図である。
【図１１】実施の形態３のランプをランプ軸線の方向（ランプ先端側）から見た図である。
【図１２】実施の形態４のランプの斜視図である。
【図１３】実施の形態４のランプをランプ軸線の方向（ランプ先端側）から見た図である。
【図１４】実施の形態５のランプの斜視図である。
【図１５】実施の形態５のランプをランプ軸線の方向（ランプ先端側）から見た図である。
【図１６】実施の形態６のランプの斜視図である。
【図１７】実施の形態６のランプをランプ軸線の方向（ランプ先端側）から見た図である。
【図１８】実施の形態７のランプの斜視図である。
【図１９】実施の形態７のランプをランプ軸線の方向（ランプ先端側）から見た図である。
【図２０】図１９に示すランプの一部を拡大した図である。
【図２１】実施の形態８のランプの斜視図である。
【図２２】実施の形態８のランプをランプ軸線の方向（ランプ先端側）から見た図である。
【図２３】実施の形態８のランプが備える３個の光源ユニット３をランプ軸線の方向（ランプ先端側）から見た図である。
【図２４】実施の形態８のランプが備える３個の光源ユニット３をランプ軸線の方向（ランプ先端側）から見た図である。
【図２５】実施の形態９のランプの斜視図である。
【図２６】実施の形態９のランプをランプ軸線の方向（ランプ先端側）から見た図である。
【図２７】実施の形態１０のランプの斜視図である。
【図２８】実施の形態１０のランプをランプ軸線の方向（ランプ先端側）から見た図である。
【図２９】実施の形態１１のランプの斜視図である。
【図３０】実施の形態１１のランプをランプ軸線の方向（ランプ先端側）から見た図である。
【図３１】実施の形態１２のランプの斜視図である。
【図３２】実施の形態１２のランプをランプ軸線の方向（ランプ先端側）から見た図である。
【図３３】実施の形態１３のランプの斜視図である。
【図３４】実施の形態１３のランプをランプ軸線の方向（ランプ先端側）から見た図である。
【図３５】図３４のランプの一部を拡大した図である。
【図３６】実施の形態１４のランプの斜視図である。
【図３７】実施の形態１４のランプをランプ軸線の方向（ランプ先端側）から見た図である。
【図３８】実施の形態１５のランプの斜視図である。
【図３９】実施の形態１５のランプをランプ軸線の方向（ランプ先端側）から見た図である。
【図４０】実施の形態１６のランプの斜視図である。
【図４１】実施の形態１６のランプをランプ軸線の方向（ランプ先端側）から見た図である。
【図４２】実施の形態１７のランプの斜視図である。
【図４３】実施の形態１７のランプをランプ軸線の方向（ランプ先端側）から見た図である。
【図４４】実施の形態１８のランプの斜視図である。
【図４５】実施の形態１８のランプをランプ軸線の方向（ランプ先端側）から見た図である。
【図４６】実施の形態１９のランプの斜視図である。
【図４７】実施の形態１９のランプをランプ軸線の方向（ランプ先端側）から見た図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１のランプ１Ａの斜視図である。本実施の形態のランプ１Ａの用途は、特に限定されるものではない。ランプ１Ａは、例えば、街路灯、道路灯、公園灯、高天井灯などの屋内及び屋外の照明器具に取り付け可能な、Ｈｉｇｈ  Ｉｎｔｅｎｓｉｔｙ  Ｄｉｓｃｈａｒｇｅｄ（ＨＩＤ）形のランプとして使用可能なものでもよい。ランプ１Ａは、例えば水銀ランプのような従来のＨＩＤ形ランプの代替として使用可能なものでもよい。
【００１１】
ランプ軸線ａｘは、ランプ１Ａの中心軸に相当する。本実施の形態のランプ１Ａは、口金２を備える。ランプ軸線ａｘは、口金２の中心を通る。口金２は、例えば、Ｅ３９口金（Φ３９ｍｍ）、Ｅ２６口金（Φ２６ｍｍ）等のねじ込み式の口金でもよい。照明器具が備えるソケット（図示省略）に口金２を差し込むことでランプ１Ａが当該照明器具に装着されてもよい。ランプ１Ａは、口金２が上向きまたは斜め上向き、口金２が下向きまたは斜め下向き、口金２が横向きなど、いかなる姿勢で使用されてもよい。以下の説明では、ランプ１Ａの口金２側を「ランプ基端側」と称し、口金２と反対側を「ランプ先端側」と称し、ランプ軸線ａｘを中心とする周方向を「ランプ周方向」と称する。
【００１２】
ランプ１Ａは、ランプ軸線ａｘの周りに配置された、複数の同形の光源ユニット３を備える。本実施の形態では、ランプ１Ａは、３個の光源ユニット３を備える。各々の光源ユニット３は、光源基板４、ベース部５、カバー部材６、放熱フィン７、及び光源カバー８を備える。ランプ１Ａが備える複数の光源ユニット３は、ランプ軸線ａｘと直交する方向において、ランプ内部空間９とランプ外部空間との間を仕切る。複数の光源ユニット３が全体として筒状の形状を呈する。ランプ内部空間９は、ランプ軸線ａｘを中心とする柱状の形状を有する。ランプ内部空間９は、複数の光源ユニット３で囲まれる空間である。ランプ内部空間９の外側の空間がランプ外部空間である。ランプ内部空間９は、光を遮る障害物の存在しない、一つにまとまった空間となる。複数の光源ユニット３は、ランプ軸線ａｘの方向から見て、環状に連結される。
【００１３】
光源基板４は、ランプ内部空間９側の面に発光素子が配置された発光面を有する。光源基板４の発光素子は、例えば、発光ダイオード（ＬＥＤ）を備えるものでもよい。光源基板４の発光素子は、例えば、チップ・オン・ボード（ＣＯＢ）タイプのＬＥＤパッケージ、表面実装型ＬＥＤパッケージ、チップ・スケール・パッケージのＬＥＤ、砲弾型ＬＥＤパッケージ、配光レンズ付きＬＥＤパッケージのいずれかでもよい。光源基板４の発光素子は、ＬＥＤを備えるものに限らず、例えば、有機エレクトロルミネセンス（ＥＬ）素子、半導体レーザなどを備えるものでもよい。
【００１４】
ベース部５は、光源基板４の裏面側にある。ベース部５は、光源基板４の発光面と反対側にある。ベース部５は、光源基板４、カバー部材６、放熱フィン７、及び光源カバー８を支持する。ベース部５の形状は、板状でもよい。光源基板４の発光素子で発生した熱は、光源基板４の裏面からベース部５へ熱伝導する。光源基板４とベース部５との間に、例えば、熱伝導性グリス、熱伝導性シート、熱伝導性接着剤、熱伝導性両面粘着テープのような熱伝導性材料（図示せず）が挟まれていてもよい。また、光源基板４とベース部５とが一体化していてもよい。ベース部５及び放熱フィン７は、高い熱伝導率を有する材料、例えば金属材料で形成されることが望ましい。
【００１５】
光源カバー８は、光源基板４の発光面を覆う。光源カバー８の少なくとも一部は、光を正透過させる、透明であることが望ましい。光源カバー８は、ベース部５に固定される。本実施の形態では、すべての光源ユニット３が光源カバー８を備える。このような構成に限らず、複数の光源ユニット３のうちの一部の光源ユニット３のみが光源カバー８を備えてもよい。
【００１６】
放熱フィン７は、ランプ外部空間に面する。放熱フィン７は、ランプ外部空間に露出する。放熱フィン７は、光源基板４に接する面と反対側のベース部５の面から突出する。本実施の形態では、放熱フィン７の形状は、板状である。平行する複数の放熱フィン７が設けられている。放熱フィン７は、ランプ軸線ａｘと平行に延びる。このような構成に限らず、放熱フィン７がランプ軸線ａｘに対して垂直な方向に延びてもよいし、放熱フィン７がランプ軸線ａｘに対して斜めの方向に延びてもよい。放熱フィン７の形状は、板状に限らず、ピン形でもよい。放熱フィン７は、ベース部５と一体化していてもよい。
【００１７】
光源ユニット３は、ランプ内部空間９へ光を放射する。光源基板４から発せられた光は、光源カバー８を透過して、ランプ内部空間９へ放射される。ランプ内部空間９へ放射された光は、カバー部材６を透過してランプ外部空間へ放射される。カバー部材６は、光を拡散透過させる。カバー部材６からランプ外部空間へ放射される光は、カバー部材６の表面の法線方向に放射されるだけでなく、カバー部材６の表面からあらゆる方向へ向かって放射される。
【００１８】
光源基板４の発光素子で発生した熱は、ベース部５から放熱フィン７へ熱伝導する。ベース部５及び放熱フィン７の表面から対流及び輻射により熱が散逸する。本実施の形態であれば、以下の効果が得られる。放熱フィン７を備えたことで、表面積を大きくできるので、放熱を促進できる。放熱フィン７がランプ外部空間に面しているので、放熱フィン７の近くに熱気がこもらない。放熱フィン７への通気性を良好にできる。対流及び輻射による放熱フィン７の放熱効率を高くできる。光源基板４の発光素子の温度を低くできる。光源基板４の発光素子の発光効率を高くできる。光源基板４の発光素子の寿命を長くできる。光源基板４の発光素子の搭載個数を多くした場合でも、放熱面積を十分に確保可能であるため、発光素子の温度を低くして発光効率を向上できる。よって、ランプ１Ａの大光束化への対応に有利である。
【００１９】
本実施の形態における光源ユニット３は、ランプ軸線ａｘに対して平行な方向を長手方向とする形状を有する。光源ユニット３の長手方向の長さを大きくすることで、ランプ１Ａの配光特性に影響することなく、光源基板４の面積を大きくできる。このため、ランプ１Ａの大光束化への対応に有利である。本実施の形態の構成に代えて、光源ユニット３の形状は、ランプ軸線ａｘに対して傾斜した方向を長手方向とする形状でもよい。その場合でも、本実施の形態と類似の効果が得られる。光源ユニット３は、例えば、リフレクター、レンズなどの他の構成要素（図示省略）をさらに備えてもよい。
【００２０】
本実施の形態のランプ１Ａは、支持体１０及び口金保持部１１を備える。各々の光源ユニット３は、支持体１０に固定されている。支持体１０に口金保持部１１が接続されている。口金保持部１１に口金２が保持されている。口金２に印加された電力が各光源ユニット３の光源基板４へ供給されることで、ランプ１Ａが点灯する。例えば、口金２から口金保持部１１及び支持体１０の内部に設けられた配線を介して電力を光源基板４へ供給してもよい。支持体１０と光源ユニット３との間の電気的接続を行うコネクタ（図示省略）を設けることで、ランプ１Ａの組立性を向上してもよい。口金保持部１１の少なくとも一部は、絶縁性を有する樹脂材料で構成されてもよい。
【００２１】
ベース部５、放熱フィン７、口金保持部１１、及び支持体１０の表面特性は、光拡散性及び高反射性を有することが望ましい。例えば、ベース部５、放熱フィン７、口金保持部１１、及び支持体１０の表面に、高反射白色塗装が施されてもよい。これらの構成によれば、ランプ１Ａの周囲への光の拡散を向上でき、広配光化が図れる。
【００２２】
支持体１０は、高い熱伝導率を有する材料、例えば金属材料で構成することが望ましい。ベース部５から支持体１０へ熱伝導することで、支持体１０の表面からも放熱でき、放熱性がさらに向上する。
【００２３】
本実施の形態であれば、ランプ１Ａの点灯時に、ランプ内部空間９の光がカバー部材６を透過することで、あらゆる方向に拡散された光がランプ外部空間へ放射される。これにより、以下の効果が得られる。ランプ周方向の照射むらが少なく、全周囲配光、または全周囲配光に近い配光が得られる。すなわち、ランプ軸線ａｘからの光度が、方向によらず、ほぼ均一にできる。輝度むらを小さくできる。カバー部材６の表面に、光源基板４の光源のイメージあるいは輪郭が目立たないようになる。
【００２４】
本発明者らが行った解析によれば、ランプ軸線ａｘから遠く離れた位置における本実施の形態のランプ１Ａの周囲配光形状は、ほぼ円形であり、極めて良好な形状であった。すなわち、ランプ軸線ａｘから遠い距離におけるランプ１Ａの照度分布は、ランプ周方向に沿ってほぼ一定であった。このように、本実施の形態によれば、ランプ周方向の配光むらを確実に小さくできる。
【００２５】
カバー部材６は、拡散剤となる粒子が基材に分散された乳白色の樹脂材料で構成されることが望ましい。カバー部材６は、高い曇り度（ヘーズ）及び高い全光線透過率を有することが望ましい。カバー部材６の基材は、例えば、優れた強度耐性、耐熱性、及び耐水性を有するポリカーボネート樹脂でもよい。カバー部材６の基材がポリカーボネート樹脂である場合には、カバー部材６の表面及び裏面にアクリル系樹脂のハードコート処理を施すことで、耐光性（耐変色）をさらに向上してもよい。カバー部材６の基材は、その他の樹脂、例えば、アクリル系樹脂、ポリスチレン樹脂などでもよい。カバー部材６の拡散剤は、例えば、シリコーン系微粒子、アクリル系微粒子、ポリスチレン微粒子などでもよい。カバー部材６が上記のような樹脂材料で構成されることで、上述したカバー部材６による効果をより確実に奏することが可能となる。
【００２６】
カバー部材６は、上記の構成に代えて、透明基材の表面にディンプル加工あるいはシボ加工のような微細な凹凸を形成したものでもよい。その場合には、ランプ１Ａの点灯時、カバー部材６の表面に、光源基板４の各光源のイメージあるいは輪郭が目立つ可能性がある。
【００２７】
図２は、実施の形態１のランプ１Ａをランプ軸線ａｘの方向（ランプ先端側）から見た図である。図２に示すように、ランプ１Ａが備える３個の光源ユニット３は、ランプ軸線ａｘから等距離、かつ、ランプ軸線ａｘの周りに等角度間隔（本実施の形態１では１２０°間隔）で配置されている。
【００２８】
図２に示すように、本実施の形態のランプ１Ａが備えるカバー部材６は、ランプ外部空間へ向けて凸になるように湾曲した曲面を有する。カバー部材６は、ランプ軸線ａｘを中心とする仮想の円柱面に沿って湾曲する曲面を有してもよい。カバー部材６は、ランプ軸線ａｘに平行な直線を中心とする仮想の円柱面に沿って湾曲する曲面を有してもよい。ランプ内部空間９の形状は、円柱に近い形状である。本実施の形態であれば、カバー部材６の表面積を大きくできるので、照明効率をさらに向上できる。カバー部材６が、ランプ外部空間へ向けて凸になる形状を有することで、配光形状の均一性がより高くなる。
【００２９】
図３及び図４は、実施の形態１のランプ１Ａが備える３個の光源ユニット３をランプ軸線ａｘの方向（ランプ先端側）から見た図である。図３は、３個の光源ユニット３が連結された状態を示す。図４は、３個の光源ユニット３が連結されていない状態を示す。
【００３０】
図４に示すように、光源基板４、ベース部５、カバー部材６、放熱フィン７、及び光源カバー８が一体となって一つの光源ユニット３が形成される。本実施の形態であれば、そのような光源ユニット３を複数組み合わせることで、ランプ１Ａの主要部を組み立てることが可能である。このため、ランプ１Ａは、組立性に優れており、製造コストの低減に有利である。また、光源ユニット３の搭載個数を変えることで、光束クラスの異なるランプを容易に製造できる。光源ユニット３の搭載個数を変えるには、例えば、支持体１０を形の異なるものに変えればよい。例えば、４個の光源ユニット３を取り付け可能な支持体１０を用意することで、ランプ１Ａよりも光束の大きいランプを製造できる。
【００３１】
光源ユニット３は、ベース部５の長手方向に沿って延びる第一エッジ３ａ及び第二エッジ３ｂを備える。ベース部５の長手方向とは、図４の紙面に垂直な方向である。第二エッジ３ｂは、第一エッジ３ａと反対側のエッジである。第一エッジ３ａ及び第二エッジ３ｂは、ベース部５の長手方向に並行して延びるエッジである。本実施の形態における光源ユニット３は、二つのカバー部材６を備える。そのうちの一方のカバー部材６は、第一エッジ３ａから突出し、他方のカバー部材６は、第二エッジ３ｂから突出する。第一エッジ３ａから突出するカバー部材６の末端には、第一連結部１２が設けられている。第二エッジ３ｂから突出するカバー部材６の末端には、第二連結部１３が設けられている。第一連結部１２及び第二連結部１３は、カバー部材６に一体的に形成されてもよい。第一連結部１２及び第二連結部１３は、カバー部材６と同じ材料で形成されてもよい。第一連結部１２及び第二連結部１３は、光を拡散透過させてもよい。第一連結部１２は、カバー部材６の末端の縁に沿って長く延びる。第二連結部１３は、カバー部材６の末端の縁に沿って長く延びる。
【００３２】
図３に示すように、第二連結部１３は、第一連結部１２に連結可能な形状を有する。各々の光源ユニット３の第一連結部１２が、当該光源ユニット３に隣り合う光源ユニット３の第二連結部１３に連結されることで、複数の光源ユニット３が環状に連結される。第一連結部１２は、溝状の凹部を有する。第二連結部１３は、第一連結部１２の凹部に嵌合可能な凸部を有する。第一連結部１２の凹部の断面形状は、円弧状である。第二連結部１３の凸部の断面形状は、円柱状である。第一連結部１２と第二連結部１３とがスナップフィットにより連結可能でもよい。第一連結部１２と第二連結部１３とが圧入により連結可能でもよい。光源ユニット３の第一エッジ３ａから突出するカバー部材６と、当該光源ユニット３に隣り合う光源ユニット３の第二エッジ３ｂから突出するカバー部材６とは、連続する曲面に沿う。
【００３３】
本実施の形態であれば、光源ユニット３が第一連結部１２及び第二連結部１３を備えることで、以下の効果が得られる。組立時に複数の光源ユニット３を連結する工程を容易に行うことができ、製造コストの低減に有利になる。ランプ１Ａの使用状態において、例えば、周囲から振動が伝わったり、温度変化による各部の伸縮などの作用が加わった場合であっても、複数の光源ユニット３間の連結状態を確実に維持できる。周囲からの振動によってカバー部材６が振動することを確実に抑制でき、カバー部材６の劣化及び破損を確実に抑制できる。光源ユニット３の第一連結部１２は、当該光源ユニット３に隣り合う光源ユニット３の第二連結部１３に連結される。このため、光源ユニット３の搭載個数を変えても、それらの光源ユニット３を第一連結部１２及び第二連結部１３により環状に連結できる。例えば、図示の構成に代えて、４個の光源ユニット３を環状に連結できる。それゆえ、光源ユニット３の搭載個数が異なるランプを容易に製造できる。
【００３４】
第一連結部１２及び第二連結部１３を備えた上記の構成に代えて、例えば、隣り合う光源ユニット３のカバー部材６同士を接着剤により接着したり、別の連結部品を用いて連結したりしてもよい。
【００３５】
図５は、実施の形態１のランプ１Ａの斜視図である。図６は、実施の形態１のランプ１Ａの分解斜視図である。図５及び図６では、ランプ１Ａが備える３個の光源ユニット３のうちの１個の光源ユニット３のみを図示し、他の２個の光源ユニット３の図示を省略する。図５に示すように、支持体１０は、各々の光源ユニット３へ向かって放射状に突出する複数の腕部を有する。支持体１０の腕部の端面には、ネジ孔１０ａが形成されている。図６に示すように、光源ユニット３のベース部５は、ネジ１４により、支持体１０のネジ孔１０ａに対して締結されている。上述した光源ユニット３と支持体１０との固定方法は、一例であり、例えば、凹部と凸部との嵌合、差し込み、スライド、接着、溶接などの他の方法でもよい。
【００３６】
図５及び図６に示すように、光源カバー８は、光源基板４の全体を覆うようにして、ベース部５に対して取り付けられる。ベース部５及び光源カバー８で囲まれる閉空間に光源基板４が収納される。光源カバー８は、例えば、ポリカーボネート樹脂、アクリル系樹脂、ポリスチレン樹脂などの樹脂材料で構成されてもよい。光源カバー８の表面にハードコート処理が施されてもよい。光源カバー８は、防水性を有してもよい。光源カバー８とベース部５との接合部に、防水性を有するシール材または接着剤（図示省略）が備えられてもよい。当該シール材または接着剤は、例えば、軟性樹脂材料、シリコーン系などのシーリング材料、ゴム系材料などで構成されてもよい。本実施の形態であれば、光源カバー８を備えたことで、光源基板４を汚れあるいは水などから確実に保護することができ、発光素子の劣化あるいは故障を確実に抑制できる。
【００３７】
図６に示すように、本実施の形態では、光源カバー８とカバー部材６とが一体化した一つの部品がベース部５に取り付けられている。これにより、以下の効果が得られる。組立が容易になる。部品点数が少なくなり、製造時における部品管理負荷が軽減する。カバー部材６及び光源カバー８のベース部５に対する固定強度を高くできる。
【００３８】
前述したように、光源カバー８の少なくとも一部は、光を正透過させる、透明であることが望ましい。光源基板４を覆う光源カバー８が透明であれば、以下の効果が得られる。光源カバー８内部での光損失を極めて小さくできるため、光源光束を高い効率でランプ内部空間９へ取り出すことが可能となる。ランプ内部空間９を偏りなく広く照射できるため、ランプ１Ａの配光むらの低減及び高効率化に寄与する。これらの効果をより顕著に奏することを可能とするために、光源カバー８の少なくとも一部は、透過光を実質的に拡散させない非拡散性を有することが望ましい。
【００３９】
図７は、実施の形態１のランプ１Ａが備える光源カバー８とカバー部材６とが一体化した部品の断面図である。拡散剤を練り込んだ樹脂材料で形成されたカバー部材６と、透明材料で形成された光源カバー８とを、例えば接着剤によって接合することで、光源カバー８とカバー部材６とが一体化した部品を製造してもよい。また、拡散剤を練り込んだ樹脂材料と、透明材料とで二色成形を行うことで、光源カバー８とカバー部材６とが一体化した部品を製造してもよい。
【００４０】
実施の形態２．
次に、図８及び図９を参照して、実施の形態２について説明するが、前述した実施の形態１との相違点を中心に説明し、前述した要素と共通または対応する要素には、同一の符号を付して、重複する説明を簡略化または省略する。図８は、実施の形態２のランプ１Ｂの斜視図である。図９は、実施の形態２のランプ１Ｂをランプ軸線ａｘの方向（ランプ先端側）から見た図である。
【００４１】
図８に示すように、本実施の形態のランプ１Ｂは、先端側透光カバー１５を備える。先端側透光カバー１５は、ランプ内部空間９のランプ先端側の端部に配置される。先端側透光カバー１５は、光を拡散透過させる。光源ユニット３からランプ内部空間９へ放射された光は、先端側透光カバー１５を透過してランプ外部空間へ放射される。先端側透光カバー１５からランプ外部空間へ放射される光は、先端側透光カバー１５の表面の法線方向に放射されるだけでなく、先端側透光カバー１５の表面からあらゆる方向へ向かって放射される。先端側透光カバー１５は、端部カバーの例である。本実施の形態における先端側透光カバー１５の形状は、平板状である。先端側透光カバー１５は、このような形状に限らず、例えば、ランプ外部空間に向けて凸となる曲面を有する形状でもよい。
【００４２】
本実施の形態であれば、先端側透光カバー１５を備えたことで、以下の効果が得られる。ランプ先端側の方向に対しても良好な光質で配光できる。ランプ内部空間９へ埃などの異物が侵入することを確実に抑制できる。光源カバー８の表面、及びカバー部材６の内面などの汚れを確実に抑制できる。ランプ内部空間９への水の侵入を抑制し、防水性を高めることができる。
【００４３】
本実施の形態のランプ１Ｂは、基端側透光カバー１６を備える。基端側透光カバー１６は、ランプ内部空間９のランプ基端側の端部に配置される。基端側透光カバー１６は、光を拡散透過させる。光源ユニット３からランプ内部空間９へ放射された光は、基端側透光カバー１６を透過してランプ外部空間へ放射される。基端側透光カバー１６からランプ外部空間へ放射される光は、基端側透光カバー１６の表面の法線方向に放射されるだけでなく、基端側透光カバー１６の表面からあらゆる方向へ向かって放射される。基端側透光カバー１６は、端部カバーの例である。本実施の形態における基端側透光カバー１６の形状は、平板状である。基端側透光カバー１６は、このような形状に限らず、例えば、ランプ外部空間に向けて凸となる曲面を有する形状でもよい。
【００４４】
本実施の形態であれば、基端側透光カバー１６を備えたことで、以下の効果が得られる。ランプ基端側の方向に対しても良好な光質で配光できる。ランプ内部空間９へ埃などの異物が侵入することを確実に抑制できる。光源カバー８の表面、及びカバー部材６の内面などの汚れを確実に抑制できる。ランプ内部空間９への水の侵入を抑制し、防水性を高めることができる。
【００４５】
先端側透光カバー１５及び基端側透光カバー１６の材質としては、カバー部材６の材質として説明したものと同様の材質を用いることができる。
【００４６】
先端側透光カバー１５は、各光源ユニット３のベース部５と第三固定枠１７と間に挟まれた状態で固定される。第三固定枠１７は、先端側透光カバー１５の外縁に沿う環状の形状を有する。第三固定枠１７は、例えばネジにより、各光源ユニット３のベース部５に固定される。基端側透光カバー１６は、押さえ部材１８により支持体１０に固定される。上述した先端側透光カバー１５及び基端側透光カバー１６の取り付け方法は一例であり、他の取り付け方法を用いてもよいことは言うまでもない。
【００４７】
実施の形態３．
次に、図１０及び図１１を参照して、実施の形態３について説明するが、前述した実施の形態１との相違点を中心に説明し、前述した要素と共通または対応する要素には、同一の符号を付して、重複する説明を簡略化または省略する。図１０は、実施の形態３のランプ１Ｃの斜視図である。図１１は、実施の形態３のランプ１Ｃをランプ軸線ａｘの方向（ランプ先端側）から見た図である。
【００４８】
これらの図に示す本実施の形態３のランプ１Ｃは、実施の形態１のランプ１Ａと比べて、カバー部材６の形状が異なる。本実施の形態３におけるカバー部材６の形状は、平板状である。ランプ内部空間９の形状は、六角柱に近い形状である。光源ユニット３の第一エッジ３ａから突出するカバー部材６と、当該光源ユニット３に隣り合う光源ユニット３の第二エッジ３ｂから突出するカバー部材６とは、同一平面に沿う。第一連結部１２の近くのカバー部材６と、第二連結部１３の近くのカバー部材６とは、同一平面に沿う。本実施の形態であれば、実施の形態１と類似の効果が得られる。
【００４９】
実施の形態４．
次に、図１２及び図１３を参照して、実施の形態４について説明するが、前述した実施の形態１との相違点を中心に説明し、前述した要素と共通または対応する要素には、同一の符号を付して、重複する説明を簡略化または省略する。図１２は、実施の形態４のランプ１Ｄの斜視図である。図１３は、実施の形態４のランプ１Ｄをランプ軸線ａｘの方向（ランプ先端側）から見た図である。
【００５０】
これらの図に示す本実施の形態４のランプ１Ｄは、実施の形態１のランプ１Ａと比べて、カバー部材６の形状が異なる。図１３に示すように、本実施の形態４におけるカバー部材６の形状は、鈍角に曲がる曲げ部６ｆを有する平板状である。ランプ内部空間９の形状は、三角柱に近い形状である。隣り合う二つのベース部５の間において、カバー部材６は、ランプ外部空間へ向けて凸になる面を形成する。第一連結部１２の近くのカバー部材６と、第二連結部１３の近くのカバー部材６とは、同一平面に沿う。本実施の形態であれば、実施の形態１と類似の効果が得られる。
【００５１】
実施の形態５．
次に、図１４及び図１５を参照して、実施の形態５について説明するが、前述した実施の形態１との相違点を中心に説明し、前述した要素と共通または対応する要素には、同一の符号を付して、重複する説明を簡略化または省略する。図１４は、実施の形態５のランプ１Ｅの斜視図である。図１５は、実施の形態５のランプ１Ｅをランプ軸線ａｘの方向（ランプ先端側）から見た図である。
【００５２】
これらの図に示す本実施の形態５のランプ１Ｅは、実施の形態１のランプ１Ａと比べて、カバー部材６の形状が異なる。本実施の形態５におけるカバー部材６の形状は、平板状である。ランプ内部空間９の形状は、三角柱に近い形状である。隣り合う二つのベース部５の間において、カバー部材６は、ランプ外部空間へ向けて凸になる面を形成する。光源ユニット３の第一エッジ３ａから突出するカバー部材６と、当該光源ユニット３に隣り合う光源ユニット３の第二エッジ３ｂから突出するカバー部材６とは、直角に近い角を形成する。第一連結部１２の近くのカバー部材６と、第二連結部１３の近くのカバー部材６とは、直角に近い角を形成する。本実施の形態であれば、実施の形態１と類似の効果が得られる。
【００５３】
図１５に示すように、ランプ軸線ａｘからカバー部材６の外面までの最大距離Ｌ１は、ランプ軸線ａｘから放熱フィン７の末端までの最大距離Ｌ２と同等か、またはＬ２より大きい。このような構成により、以下の効果が得られる。カバー部材６の表面積を十分に大きくできるので、照明効率をさらに向上できる。ランプ軸線ａｘから、より遠い位置で、光を拡散することができるので、配光むら及び輝度むらをさらに小さくできる。
【００５４】
実施の形態６．
次に、図１６及び図１７を参照して、実施の形態６について説明するが、前述した実施の形態１との相違点を中心に説明し、前述した要素と共通または対応する要素には、同一の符号を付して、重複する説明を簡略化または省略する。図１６は、実施の形態６のランプ１Ｆの斜視図である。図１７は、実施の形態６のランプ１Ｆをランプ軸線ａｘの方向（ランプ先端側）から見た図である。
【００５５】
これらの図に示す本実施の形態６のランプ１Ｆは、実施の形態１のランプ１Ａと比べて、カバー部材６の形状が異なる。本実施の形態６におけるカバー部材６は、ランプ外部空間へ向けて凸になるように湾曲した曲面を有する。カバー部材６は、ランプ軸線ａｘに平行な直線を中心とする仮想の円柱面に沿って湾曲する曲面を有してもよい。本実施の形態であれば、実施の形態１と類似の効果が得られる。
【００５６】
図１７に示すように、カバー部材６は、放熱フィン７に近接する近接部分６ａを有する。ランプ軸線ａｘからカバー部材６の近接部分６ａの外面まで距離Ｌ３は、ランプ軸線ａｘから放熱フィン７の末端までの最大距離Ｌ２と同等か、またはＬ２より大きい。このような構成により、本実施の形態であれば、カバー部材６の表面積を十分に大きくできるので、照明効率をさらに向上できる。
【００５７】
カバー部材６は、放熱フィン７から最も遠い遠位部分６ｂを有する。ランプ軸線ａｘからカバー部材６の遠位部分６ｂの外面まで距離Ｌ４は、ランプ軸線ａｘから放熱フィン７の末端までの最大距離Ｌ２と同等か、またはＬ２より大きい。ランプ軸線ａｘからカバー部材６の外面まで距離は、近接部分６ａから遠位部分６ｂまで連続して、上記Ｌ２と同等か、またはＬ２より大きい。このような構成により、本実施の形態であれば、カバー部材６の表面積を十分に大きくできるので、照明効率をさらに向上できる。
【００５８】
実施の形態７．
次に、図１８から図２０を参照して、実施の形態７について説明するが、前述した実施の形態１との相違点を中心に説明し、前述した要素と共通または対応する要素には、同一の符号を付して、重複する説明を簡略化または省略する。図１８は、実施の形態７のランプ１Ｇの斜視図である。図１９は、実施の形態７のランプ１Ｇをランプ軸線ａｘの方向（ランプ先端側）から見た図である。
【００５９】
これらの図に示す本実施の形態７のランプ１Ｇは、実施の形態１のランプ１Ａと比べて、カバー部材６の形状が異なる。本実施の形態７におけるカバー部材６の形状は、前述した実施の形態６に類似する。本実施の形態７におけるカバー部材６は、実施の形態６と同様に、近接部分６ａ及び遠位部分６ｂを有する。本実施の形態７であれば、実施の形態６と類似の効果が得られる。
【００６０】
図２０は、図１９に示すランプ１Ｇの一部を拡大した図である。図２０に示すように、ランプ１Ｇは、第一出射面６ｃ及び第二出射面６ｄを備える。第一出射面６ｃ及び第二出射面６ｄは、カバー部材６の外面の一部として形成されている。第一出射面６ｃは、放熱フィン７に隣り合う位置にある。第二出射面６ｄは、当該光源ユニット３の放熱フィン７を介して第一出射面６ｃと反対側にある。第一出射面６ｃ及び第二出射面６ｄの間に、一つの光源ユニット３が備える放熱フィン７が位置する。
【００６１】
第一出射面６ｃ及び第二出射面６ｄの形状は、次の条件を満足する。第一出射面６ｃから外側へ延びる仮想の第一法線Ｎ１と、第一法線Ｎ１と交わり、第二出射面６ｄから外側へ延びる仮想の第二法線Ｎ２とが存在する。このような構成により、以下の効果が得られる。第一出射面６ｃ及び第二出射面６ｄから出射した光は、放熱フィン７及びベース部５の表面に当たりやすい。放熱フィン７及びベース部５の表面に当たったその光が反射してランプ外部空間へ放射されることで、配光むら及び輝度むらをさらに小さくできる。
【００６２】
実施の形態８．
次に、図２１から図２４を参照して、実施の形態８について説明するが、前述した実施の形態１との相違点を中心に説明し、前述した要素と共通または対応する要素には、同一の符号を付して、重複する説明を簡略化または省略する。図２１は、実施の形態８のランプ１Ｈの斜視図である。図２２は、実施の形態８のランプ１Ｈをランプ軸線ａｘの方向（ランプ先端側）から見た図である。図２３及び図２４は、実施の形態８のランプ１Ｈが備える３個の光源ユニット３をランプ軸線ａｘの方向（ランプ先端側）から見た図である。図２３は、３個の光源ユニット３が連結された状態を示す。図２４は、３個の光源ユニット３が連結されていない状態を示す。
【００６３】
図２２に示すように、光源ユニット３は、ベース部５の長手方向に沿って延びる第一エッジ３ａ及び第二エッジ３ｂを備える。ベース部５の長手方向とは、図２２から図２４の紙面に垂直な方向である。
【００６４】
図２４に示すように、本実施の形態における各々の光源ユニット３は、一つのカバー部材６を備える。カバー部材６は、第一エッジ３ａから突出する。カバー部材６の末端には、第一連結部１２が設けられている。第一連結部１２は、カバー部材６の末端の縁に沿って長く延びる。光源ユニット３の第二エッジ３ｂの近くに、第二連結部１３が設けられている。第二連結部１３は、第二エッジ３ｂに沿って長く延びる。第二連結部１３は、第一連結部１２に連結可能な形状を有する。図２３に示すように、各々の光源ユニット３の第一連結部１２が、当該光源ユニット３に隣り合う光源ユニット３の第二連結部１３に連結されることで、複数の光源ユニット３が環状に連結される。
【００６５】
本実施の形態８であれば、光源ユニット３が第一連結部１２及び第二連結部１３を備えることで、実施の形態１と類似の効果が得られる。第一連結部１２及び第二連結部１３の位置は、カバー部材６に比べて厚さが厚くなるため、光透過率が低くなる。本実施の形態８であれば、ベース部５の長手方向に沿う第二エッジ３ｂの近くに第二連結部１３があることで、以下の効果が得られる。実施の形態１のようにカバー部材６とカバー部材６との間に第一連結部１２及び第二連結部１３がある構成に比べて、第一連結部１２及び第二連結部１３による輝度むらが生ずることを確実に抑制できる。
【００６６】
実施の形態９．
次に、図２５及び図２６を参照して、実施の形態９について説明するが、前述した実施の形態８との相違点を中心に説明し、前述した要素と共通または対応する要素には、同一の符号を付して、重複する説明を簡略化または省略する。図２５は、実施の形態９のランプ１Ｊの斜視図である。図２６は、実施の形態９のランプ１Ｊをランプ軸線ａｘの方向（ランプ先端側）から見た図である。
【００６７】
これらの図に示す本実施の形態９のランプ１Ｊは、前述した実施の形態８のランプ１Ｈと比べて、カバー部材６の形状が異なる。本実施の形態９におけるカバー部材６の形状は、平板状である。ランプ内部空間９の形状は、六角柱に近い形状である。本実施の形態であれば、実施の形態８と類似の効果が得られる。
【００６８】
実施の形態１０．
次に、図２７及び図２８を参照して、実施の形態１０について説明するが、前述した実施の形態１との相違点を中心に説明し、前述した要素と共通または対応する要素には、同一の符号を付して、重複する説明を簡略化または省略する。図２７は、実施の形態１０のランプ１Ｋの斜視図である。図２８は、実施の形態１０のランプ１Ｋをランプ軸線ａｘの方向（ランプ先端側）から見た図である。
【００６９】
これらの図に示す本実施の形態１１のランプ１Ｋは、実施の形態８のランプ１Ｈと比べて、カバー部材６の形状が異なる。本実施の形態１１におけるカバー部材６は、ランプ外部空間へ向けて凸になるように湾曲した曲面を有する。カバー部材６は、ランプ軸線ａｘに平行な直線を中心とする仮想の円柱面に沿って湾曲する曲面を有してもよい。本実施の形態であれば、実施の形態８と類似の効果が得られる。
【００７０】
図２８に示すように、光源ユニット３は、ベース部５の長手方向に沿って延びる第一エッジ３ａ及び第二エッジ３ｂを備える。第一エッジ３ａ及び第二エッジ３ｂは、ベース部５の長手方向に並行して延びる。第一エッジ３ａ及び第二エッジ３ｂは、放熱フィン７に近接する。各々の光源ユニット３の第二連結部１３は、当該光源ユニット３の第二エッジ３ｂの近くにある。各々の光源ユニット３の第一連結部１２は、当該光源ユニット３に隣り合う光源ユニット３の第二エッジ３ｂの近くにある。
【００７１】
カバー部材６は、放熱フィン７に近接する近接部分６ａ，６ｅを有する。各々の光源ユニット３のカバー部材６の近接部分６ａは、当該光源ユニット３の放熱フィン７に近接する。各々の光源ユニット３のカバー部材６の近接部分６ｅは、当該光源ユニット３に隣り合う光源ユニット３の放熱フィン７に近接する。ランプ軸線ａｘからカバー部材６の近接部分６ａ，６ｅの外面まで距離Ｌ３は、ランプ軸線ａｘから放熱フィン７の末端までの最大距離Ｌ２と同等か、またはＬ２より大きい。このような構成により、本実施の形態であれば、カバー部材６の表面積を十分に大きくできるので、照明効率をさらに向上できる。
【００７２】
カバー部材６は、放熱フィン７から最も遠い遠位部分６ｂを有する。各々の光源ユニット３のカバー部材６の遠位部分６ｂは、当該光源ユニット３の放熱フィン７と、当該光源ユニット３に隣り合う光源ユニット３の放熱フィン７との双方から最も遠い部分である。ランプ軸線ａｘからカバー部材６の遠位部分６ｂの外面まで距離Ｌ４は、ランプ軸線ａｘから放熱フィン７の末端までの最大距離Ｌ２と同等か、またはＬ２より大きい。ランプ軸線ａｘからカバー部材６の外面まで距離は、近接部分６ａから遠位部分６ｂまで連続して、上記Ｌ２と同等か、またはＬ２より大きい。ランプ軸線ａｘからカバー部材６の外面まで距離は、近接部分６ｅから遠位部分６ｂまで連続して、上記Ｌ２と同等か、またはＬ２より大きい。このような構成により、本実施の形態であれば、カバー部材６の表面積を十分に大きくできるので、照明効率をさらに向上できる。
【００７３】
実施の形態１１．
次に、図２９及び図３０を参照して、実施の形態１１について説明するが、前述した実施の形態８との相違点を中心に説明し、前述した要素と共通または対応する要素には、同一の符号を付して、重複する説明を簡略化または省略する。図２９は、実施の形態１１のランプ１Ｌの斜視図である。図３０は、実施の形態１１のランプ１Ｌをランプ軸線ａｘの方向（ランプ先端側）から見た図である。
【００７４】
これらの図に示す本実施の形態１１のランプ１Ｌは、前述した実施の形態８のランプ１Ｈと比べて、カバー部材６の形状が異なる。図３０に示すように、本実施の形態１１におけるカバー部材６の形状は、鋭角に曲がる曲げ部６ｇを有する平板状である。ランプ内部空間９の形状は、三角柱に近い形状である。隣り合う二つのベース部５の間において、カバー部材６は、ランプ外部空間へ向けて凸になる面を形成する。本実施の形態であれば、実施の形態８と類似の効果が得られる。
【００７５】
ランプ軸線ａｘからカバー部材６の外面までの最大距離Ｌ１は、ランプ軸線ａｘから放熱フィン７の末端までの最大距離Ｌ２と同等か、またはＬ２より大きい。このような構成により、以下の効果が得られる。カバー部材６の表面積を十分に大きくできるので、照明効率をさらに向上できる。ランプ軸線ａｘから、より遠い位置で、光を拡散することができるので、配光むら及び輝度むらをさらに小さくできる。
【００７６】
実施の形態１２．
次に、図３１及び図３２を参照して、実施の形態１２について説明するが、前述した実施の形態８との相違点を中心に説明し、前述した要素と共通または対応する要素には、同一の符号を付して、重複する説明を簡略化または省略する。図３１は、実施の形態１２のランプ１Ｍの斜視図である。図３２は、実施の形態１２のランプ１Ｍをランプ軸線ａｘの方向（ランプ先端側）から見た図である。
【００７７】
これらの図に示す本実施の形態１２のランプ１Ｍは、前述した実施の形態８のランプ１Ｈと比べて、カバー部材６の形状が異なる。図３２に示すように、本実施の形態１２におけるカバー部材６の形状は、鈍角に曲がる第一曲げ部６ｈと、鈍角に曲がる第二曲げ部６ｉとを有する平板状である。ランプ内部空間９の形状は、三角柱に近い形状である。隣り合う二つのベース部５の間において、カバー部材６は、ランプ外部空間へ向けて凸になる面を形成する。本実施の形態であれば、実施の形態８と類似の効果が得られる。
【００７８】
ランプ軸線ａｘからカバー部材６の外面までの最大距離Ｌ１は、ランプ軸線ａｘから放熱フィン７の末端までの最大距離Ｌ２と同等か、またはＬ２より大きい。このような構成により、以下の効果が得られる。カバー部材６の表面積を十分に大きくできるので、照明効率をさらに向上できる。ランプ軸線ａｘから、より遠い位置で、光を拡散することができるので、配光むら及び輝度むらをさらに小さくできる。
【００７９】
実施の形態１３．
次に、図３３から図３５を参照して、実施の形態１３について説明するが、前述した実施の形態１０との相違点を中心に説明し、前述した要素と共通または対応する要素には、同一の符号を付して、重複する説明を簡略化または省略する。図３３は、実施の形態１３のランプ１Ｎの斜視図である。図３４は、実施の形態１３のランプ１Ｎをランプ軸線ａｘの方向（ランプ先端側）から見た図である。本実施の形態１３は、下記の事項以外は、実施の形態１０と同様である。
【００８０】
図３４に示すように、本実施の形態１３のランプ１Ｎは、実施の形態１０のランプ１Ｋが備える第一連結部１２及び第二連結部１３に代えて、第一連結部１９及び第二連結部２０を備える。第一連結部１９は、カバー部材６の末端に設けられている。第一連結部１９は、カバー部材６に一体的に形成されてもよい。第一連結部１９は、カバー部材６と同じ材料で形成されてもよい。第一連結部１９は、光を拡散透過させてもよい。第一連結部１９は、カバー部材６の末端の縁に沿って長く延びる。第二連結部２０は、放熱フィン７の一部である。第二連結部２０は、放熱フィン７の末端の部分である。第二連結部２０は、放熱フィン７の長手方向に沿って長く延びる。
【００８１】
図３５は、図３４のランプ１Ｎの一部を拡大した図である。図３５に示すように、第二連結部２０は、第一連結部１９と連結可能な形状を有する。各々の光源ユニット３の第一連結部１９が、当該光源ユニット３に隣り合う光源ユニット３の第二連結部２０に連結されることで、複数の光源ユニット３が環状に連結される。第一連結部１９は、溝状の凹部を有する。第二連結部２０は、第一連結部１９の凹部に嵌合可能な形状を有する。第一連結部１９と第二連結部２０とがスナップフィットにより連結可能でもよい。第一連結部１９と第二連結部２０とが圧入により連結可能でもよい。
【００８２】
本実施の形態であれば、光源ユニット３が第一連結部１９及び第二連結部２０を備えることで、以下の効果が得られる。組立時に複数の光源ユニット３を連結する工程を容易に行うことができ、製造コストの低減に有利になる。ランプ１Ｎの使用状態において、例えば、周囲から振動が伝わったり、温度変化による各部の伸縮などの作用が加わった場合であっても、複数の光源ユニット３間の連結状態を確実に維持できる。周囲からの振動によってカバー部材６が振動することを確実に抑制でき、カバー部材６の劣化及び破損を確実に抑制できる。光源ユニット３の第一連結部１９は、当該光源ユニット３に隣り合う光源ユニット３の第二連結部２０に連結される。このため、光源ユニット３の搭載個数を変えても、それらの光源ユニット３を第一連結部１９及び第二連結部２０により環状に連結できる。例えば、図示の構成に代えて、４個の光源ユニット３を環状に連結できる。それゆえ、光源ユニット３の搭載個数が異なるランプを容易に製造できる。放熱フィン７の一部を第二連結部２０として利用することで、構造が簡単になる。
【００８３】
実施の形態１４．
次に、図３６及び図３７を参照して、実施の形態１４について説明するが、前述した実施の形態７との相違点を中心に説明し、前述した要素と共通または対応する要素には、同一の符号を付して、重複する説明を簡略化または省略する。図３６は、実施の形態１４のランプ１Ｐの斜視図である。図３７は、実施の形態１４のランプ１Ｐをランプ軸線ａｘの方向（ランプ先端側）から見た図である。本実施の形態１４は、下記の事項以外は、実施の形態７と同様である。
【００８４】
図３７に示すように、本実施の形態１４における光源カバー８は、光源基板４に対向する内面８ａと、内面８ａの反対側の外面８ｂとを有する。内面８ａは、凸曲面である。外面８ｂは、平面である。内面８ａ及び外面８ｂによりシリンドリカル平凸レンズが形成される。光源基板４から発せられた光が光源カバー８の内面８ａ及び外面８ｂを透過することで、光源基板４から発せられた光が狭配光化される。内面８ａ及び外面８ｂにより形成されるシリンドリカル平凸レンズは、光源基板４から発せられた光を狭配光化する配光制御要素の例である。
【００８５】
本実施の形態であれば、上記の配光制御要素を備えたことで、以下の効果が得られる。光源カバー８から出射した光が狭配光化されることで、光源カバー８から出射した光を、当該光源カバー８に対向するカバー部材６に集中的に照射できる。光源カバー８から出射した光が、他の光源カバー８に当たることによる光量ロスを少なくできる。光源基板４から発せられた光を、より高い効率で、ランプ外部空間へ放射できる。
【００８６】
本実施の形態１４では、配光制御要素がシリンドリカル平凸レンズである例について説明したが、配光制御要素は、シリンドリカル両凸レンズ、リニアフレネルレンズなどでもよい。
【００８７】
実施の形態１５．
次に、図３８及び図３９を参照して、実施の形態１５について説明するが、前述した実施の形態７との相違点を中心に説明し、前述した要素と共通または対応する要素には、同一の符号を付して、重複する説明を簡略化または省略する。図３８は、実施の形態１５のランプ１Ｑの斜視図である。図３９は、実施の形態１５のランプ１Ｑをランプ軸線ａｘの方向（ランプ先端側）から見た図である。本実施の形態１５は、下記の事項以外は、実施の形態７と同様である。
【００８８】
図３９に示すように、本実施の形態１５における光源カバー８は、リフレクター８ｃを有する。リフレクター８ｃは、光源基板４から発せられた光の一部を反射させる。リフレクター８ｃは、光源カバー８の長手方向に沿う側面の内面に形成されている。リフレクター８ｃは、例えば、蒸着などにより形成された金属の反射膜でもよい。光源基板４から発せられた光の一部がリフレクター８ｃで反射することで、光源基板４から発せられた光が狭配光化される。リフレクター８ｃは、光源基板４から発せられた光を狭配光化する配光制御要素の例である。
【００８９】
本実施の形態であれば、上記の配光制御要素を備えたことで、以下の効果が得られる。光源カバー８から出射した光が狭配光化されることで、光源カバー８から出射した光を、当該光源カバー８に対向するカバー部材６に集中的に照射できる。光源カバー８から出射した光が、他の光源カバー８に当たることによる光量ロスを少なくできる。光源基板４から発せられた光を、より高い効率で、ランプ外部空間へ放射できる。
【００９０】
本実施の形態１５では、光源カバー８にリフレクター８ｃが形成されている例について説明したが、光源カバー８とは別部品のリフレクターを配光制御要素として用いてもよい。本実施の形態では、すべての光源ユニット３が配光制御要素を備える。このような構成に限らず、複数の光源ユニット３のうちの一部の光源ユニット３のみが配光制御要素を備えてもよい。
【００９１】
実施の形態１６．
次に、図４０及び図４１を参照して、実施の形態１６について説明するが、前述した実施の形態７との相違点を中心に説明し、前述した要素と共通または対応する要素には、同一の符号を付して、重複する説明を簡略化または省略する。図４０は、実施の形態１６のランプ１Ｒの斜視図である。図４１は、実施の形態１６のランプ１Ｒをランプ軸線ａｘの方向（ランプ先端側）から見た図である。本実施の形態１６は、下記の事項以外は、実施の形態７と同様である。
【００９２】
図４１に示すように、本実施の形態１６における光源カバー８は、リフレクター８ｄ及び出射面８ｅを有する。リフレクター８ｄは、光源基板４から発せられた光の少なくとも一部を反射させる。リフレクター８ｄは、例えば、蒸着などにより形成された金属の反射膜でもよい。出射面８ｅは、光源カバー８の長手方向に沿う側面にある。リフレクター８ｄで反射した光は、出射面８ｅからランプ内部空間９へ放射される。各々の光源ユニット３の出射面８ｅから出射した光は、当該光源ユニット３に隣り合う光源ユニット３の光源基板４との間にあるカバー部材６に照射される。このように、各々の光源ユニット３が備えるリフレクター８ｄは、当該光源ユニット３の光源基板４から発せられた光の少なくとも一部を、当該光源基板４と、当該光源ユニット３に隣り合う光源ユニット３の光源基板４との間にあるカバー部材６へ向けて反射させるものである。
【００９３】
本実施の形態であれば、上記のリフレクター８ｄを備えたことで、以下の効果が得られる。各々の光源基板４から発せられた光を、当該光源基板４と、隣り合う光源ユニット３の光源基板４との間にあるカバー部材６へ向けて、集中的に照射できる。光源カバー８から出射した光が、他の光源カバー８に当たることによる光量ロスを少なくできる。光源基板４から発せられた光を、より高い効率で、ランプ外部空間へ放射できる。
【００９４】
本実施の形態１６では、すべての光源ユニット３がリフレクター８ｄを備える。このような構成に限らず、複数の光源ユニット３のうちの一部の光源ユニット３のみがリフレクター８ｄを備えてもよい。本実施の形態１６では、光源カバー８にリフレクター８ｄが形成されている例について説明したが、光源カバー８とは別部品のリフレクターを用いてもよい。
【００９５】
実施の形態１７．
次に、図４２及び図４３を参照して、実施の形態１７について説明するが、前述した実施の形態１との相違点を中心に説明し、前述した要素と共通または対応する要素には、同一の符号を付して、重複する説明を簡略化または省略する。図４２は、実施の形態１７のランプ１Ｓの斜視図である。図４３は、実施の形態１７のランプ１Ｓをランプ軸線ａｘの方向（ランプ先端側）から見た図である。本実施の形態１７は、下記の事項以外は、実施の形態１と同様である。
【００９６】
図４３に示すように、本実施の形態１７における光源ユニット３は、実施の形態１における光源基板４に代えて、第一光源基板４ａ及び第二光源基板４ｂを備える。第一光源基板４ａは、第一光放射部に相当する。第二光源基板４ｂは、第二光放射部に相当する。第二光放射部は、第一光放射部とは異なる方向へ光を放射する。第一光放射部の光軸Ｘ１と、第二光放射部の光軸Ｘ２とは、交差する。第一光放射部の光軸Ｘ１は、第一光源基板４ａに対して垂直である。第二光放射部の光軸Ｘ２は、第二光源基板４ｂに対して垂直である。
【００９７】
本実施の形態であれば、光源ユニット３が第一光放射部及び第二光放射部を備えたことで、以下の効果が得られる。光源カバー８から出射した光を、当該光源カバー８に対向するカバー部材６に集中的に照射できる。光源カバー８から出射した光が、他の光源カバー８に当たることによる光量ロスを少なくできる。各光源ユニット３から発せられた光を、より高い効率で、ランプ外部空間へ放射できる。
【００９８】
本実施の形態１７では、すべての光源ユニット３が第一光放射部及び第二光放射部を備える。このような構成に限らず、複数の光源ユニット３のうちの一部の光源ユニット３のみが第一光放射部及び第二光放射部を備えてもよい。
【００９９】
実施の形態１８．
次に、図４４及び図４５を参照して、実施の形態１８について説明するが、前述した実施の形態７との相違点を中心に説明し、前述した要素と共通または対応する要素には、同一の符号を付して、重複する説明を簡略化または省略する。図４４は、実施の形態１８のランプ１Ｔの斜視図である。図４５は、実施の形態１８のランプ１Ｔをランプ軸線ａｘの方向（ランプ先端側）から見た図である。本実施の形態１８は、下記の事項以外は、実施の形態７と同様である。
【０１００】
図４５に示すように、本実施の形態１８における光源ユニット３は、実施の形態１における光源基板４に代えて、第一光源基板４ａ及び第二光源基板４ｂを備える。第一光源基板４ａは、第一光放射部に相当する。第二光源基板４ｂは、第二光放射部に相当する。第二光放射部は、第一光放射部とは異なる方向へ光を放射する。第一光放射部の光軸Ｘ１と、第二光放射部の光軸Ｘ２とは、交差する。第一光放射部の光軸Ｘ１は、第一光源基板４ａに対して垂直である。第二光放射部の光軸Ｘ２は、第二光源基板４ｂに対して垂直である。
【０１０１】
本実施の形態であれば、光源ユニット３が第一光放射部及び第二光放射部を備えたことで、以下の効果が得られる。光源カバー８から出射した光を、当該光源カバー８に対向するカバー部材６に集中的に照射できる。光源カバー８から出射した光が、他の光源カバー８に当たることによる光量ロスを少なくできる。各光源ユニット３から発せられた光を、より高い効率で、ランプ外部空間へ放射できる。
【０１０２】
本実施の形態１８では、すべての光源ユニット３が第一光放射部及び第二光放射部を備える。このような構成に限らず、複数の光源ユニット３のうちの一部の光源ユニット３のみが第一光放射部及び第二光放射部を備えてもよい。
【０１０３】
図４５に示すように、本実施の形態１８における光源カバー８は、第一光源基板４ａ及び第二光源基板４ｂに対向する内面８ａと、内面８ａの反対側の外面８ｂとを有する。内面８ａは、凸曲面である。外面８ｂは、平面である。内面８ａ及び外面８ｂによりシリンドリカル平凸レンズが形成される。第一光源基板４ａ及び第二光源基板４ｂから発せられた光が光源カバー８の内面８ａ及び外面８ｂを透過することで、第一光源基板４ａ及び第二光源基板４ｂから発せられた光が狭配光化される。内面８ａ及び外面８ｂにより形成されるシリンドリカル平凸レンズは、第一光源基板４ａ及び第二光源基板４ｂから発せられた光を狭配光化する配光制御要素の例である。
【０１０４】
本実施の形態であれば、上記の配光制御要素を備えたことで、以下の効果が得られる。光源カバー８から出射した光が狭配光化されることで、光源カバー８から出射した光を、当該光源カバー８に対向するカバー部材６に集中的に照射できる。光源カバー８から出射した光が、他の光源カバー８に当たることによる光量ロスを少なくできる。第一光源基板４ａ及び第二光源基板４ｂから発せられた光を、より高い効率で、ランプ外部空間へ放射できる。
【０１０５】
本実施の形態１８では、配光制御要素がシリンドリカル平凸レンズである例について説明したが、配光制御要素は、シリンドリカル両凸レンズ、リニアフレネルレンズなどでもよい。
【０１０６】
実施の形態１９．
次に、図４６及び図４７を参照して、実施の形態１９について説明するが、前述した実施の形態７との相違点を中心に説明し、前述した要素と共通または対応する要素には、同一の符号を付して、重複する説明を簡略化または省略する。図４６は、実施の形態１９のランプ１Ｕの斜視図である。図４７は、実施の形態１９のランプ１Ｕをランプ軸線ａｘの方向（ランプ先端側）から見た図である。本実施の形態１９は、下記の事項以外は、実施の形態７と同様である。
【０１０７】
図４７に示すように、本実施の形態１９における光源ユニット３は、実施の形態７における光源基板４に代えて、第一光源基板４ｃ及び第二光源基板４ｄを備える。第一光源基板４ｃは、第一光放射部に相当する。第二光源基板４ｄは、第二光放射部に相当する。第二光放射部は、第一光放射部とは異なる方向へ光を放射する。
【０１０８】
本実施の形態１９における光源カバー８は、第一リフレクター８ｆ、第二リフレクター８ｇ、第一出射面８ｈ、及び第二出射面８ｉを有する。第一リフレクター８ｆは、第一光源基板４ｃから発せられた光の少なくとも一部を反射させる。第二リフレクター８ｇは、第二光源基板４ｄから発せられた光の少なくとも一部を反射させる。第一リフレクター８ｆ及び第二リフレクター８ｇは、例えば、蒸着などにより形成された金属の反射膜でもよい。第一出射面８ｈ及び第二出射面８ｉは、光源カバー８の長手方向に沿う側面にある。第二出射面８ｉは、第一出射面８ｈの反対側にある。第一リフレクター８ｆで反射した光は、第一出射面８ｈからランプ内部空間９へ放射される。第二リフレクター８ｇで反射した光は、第二出射面８ｉからランプ内部空間９へ放射される。
【０１０９】
各々の光源ユニット３の第一出射面８ｈから出射した光は、当該光源ユニット３に隣り合う光源ユニット３の第二光源基板４ｄとの間にあるカバー部材６に照射される。このように、各々の光源ユニット３が備える第一リフレクター８ｆは、当該光源ユニット３の第一光源基板４ｃから発せられた光の少なくとも一部を、当該第一光源基板４ｃと、当該光源ユニット３に隣り合う光源ユニット３の第二光源基板４ｄとの間にあるカバー部材６へ向けて反射させるものである。各々の光源ユニット３の第二出射面８ｉから出射した光は、当該光源ユニット３に隣り合う光源ユニット３の第一光源基板４ｃとの間にあるカバー部材６に照射される。このように、各々の光源ユニット３が備える第二リフレクター８ｇは、当該光源ユニット３の第二光源基板４ｄから発せられた光の少なくとも一部を、当該第二光源基板４ｄと、当該光源ユニット３に隣り合う光源ユニット３の第一光源基板４ｃとの間にあるカバー部材６へ向けて反射させるものである。
【０１１０】
本実施の形態であれば、上記の第一リフレクター８ｆを備えたことで、以下の効果が得られる。各々の第一光源基板４ｃから発せられた光を、当該第一光源基板４ｃと、隣り合う光源ユニット３の第二光源基板４ｄとの間にあるカバー部材６へ向けて、集中的に照射できる。光源カバー８から出射した光が、他の光源カバー８に当たることによる光量ロスを少なくできる。第一光源基板４ｃから発せられた光を、より高い効率で、ランプ外部空間へ放射できる。
【０１１１】
本実施の形態であれば、上記の第二リフレクター８ｇを備えたことで、以下の効果が得られる。各々の第二光源基板４ｄから発せられた光を、当該第二光源基板４ｄと、隣り合う光源ユニット３の第一光源基板４ｃとの間にあるカバー部材６へ向けて、集中的に照射できる。光源カバー８から出射した光が、他の光源カバー８に当たることによる光量ロスを少なくできる。第二光源基板４ｄから発せられた光を、より高い効率で、ランプ外部空間へ放射できる。
【０１１２】
本実施の形態１９では、すべての光源ユニット３が第一リフレクター８ｆ及び第二リフレクター８ｇを備える。このような構成に限らず、複数の光源ユニット３のうちの一部の光源ユニット３のみが第一リフレクター８ｆ及び第二リフレクター８ｇを備えてもよい。本実施の形態１９では、光源カバー８に第一リフレクター８ｆ及び第二リフレクター８ｇが形成されている例について説明したが、光源カバー８とは別部品のリフレクターを用いてもよい。
【０１１３】
本実施の形態１９では、すべての光源ユニット３が第一光放射部及び第二光放射部を備える。このような構成に限らず、複数の光源ユニット３のうちの一部の光源ユニット３のみが第一光放射部及び第二光放射部を備えてもよい。
【０１１４】
以上説明した各実施の形態では、ランプが備える光源ユニット３の数が３個の例を説明した。本発明では、ランプが備える光源ユニット３の数は、２個でもよいし、４個以上でもよい。複数の光源ユニット３は、ランプ軸線ａｘから等距離、かつ、ランプ軸線ａｘの周りに等角度間隔で配置されることが望ましい。ランプが３個以上の光源ユニット３を備える場合には、ランプ周方向における配光むら及び輝度むらを小さくする上で有利になる。
【符号の説明】
【０１１５】
１Ａ，１Ｂ，１Ｃ，１Ｄ，１Ｅ，１Ｆ，１Ｇ，１Ｈ，１Ｊ，１Ｋ，１Ｌ，１Ｍ，１Ｎ，１Ｐ，１Ｑ，１Ｒ，１Ｓ，１Ｔ，１Ｕ  ランプ、  ２  口金、  ３  光源ユニット、  ３ａ  第一エッジ、  ３ｂ  第二エッジ、  ４  光源基板、  ４ａ  第一光源基板、  ４ｂ  第二光源基板、  ４ｃ  第一光源基板、  ４ｄ  第二光源基板、  ５  ベース部、  ６  カバー部材、  ６ａ  近接部分、  ６ｂ  遠位部分、  ６ｃ  第一出射面、  ６ｄ  第二出射面、  ６ｅ  近接部分、  ７  放熱フィン、  ８  光源カバー、  ８ａ  内面、  ８ｂ  外面、  ８ｃ，８ｄ  リフレクター、  ８ｅ  出射面、  ８ｆ  第一リフレクター、  ８ｇ  第二リフレクター、  ８ｈ  第一出射面、  ８ｉ  第二出射面、  ９  ランプ内部空間、  １０  支持体、  １０ａ  ネジ孔、  １１  口金保持部、  １２  第一連結部、  １３  第二連結部、  １４  ネジ、  １５  先端側透光カバー、  １６  基端側透光カバー、  １７  第三固定枠、  １９  第一連結部、  ２０  第二連結部
【図１】
2018037342.tif 000003
【図２】
2018037342.tif 000004
【図３】
2018037342.tif 000005
【図４】
2018037342.tif 000006
【図５】
2018037342.tif 000007
【図６】
2018037342.tif 000008
【図７】
2018037342.tif 000009
【図８】
2018037342.tif 000010
【図９】
2018037342.tif 000011
【図１０】
2018037342.tif 000012
【図１１】
2018037342.tif 000013
【図１２】
2018037342.tif 000014
【図１３】
2018037342.tif 000015
【図１４】
2018037342.tif 000016
【図１５】
2018037342.tif 000017
【図１６】
2018037342.tif 000018
【図１７】
2018037342.tif 000019
【図１８】
2018037342.tif 000020
【図１９】
2018037342.tif 000021
【図２０】
2018037342.tif 000022
【図２１】
2018037342.tif 000023
【図２２】
2018037342.tif 000024
【図２３】
2018037342.tif 000025
【図２４】
2018037342.tif 000026
【図２５】
2018037342.tif 000027
【図２６】
2018037342.tif 000028
【図２７】
2018037342.tif 000029
【図２８】
2018037342.tif 000030
【図２９】
2018037342.tif 000031
【図３０】
2018037342.tif 000032
【図３１】
2018037342.tif 000033
【図３２】
2018037342.tif 000034
【図３３】
2018037342.tif 000035
【図３４】
2018037342.tif 000036
【図３５】
2018037342.tif 000037
【図３６】
2018037342.tif 000038
【図３７】
2018037342.tif 000039
【図３８】
2018037342.tif 000040
【図３９】
2018037342.tif 000041
【図４０】
2018037342.tif 000042
【図４１】
2018037342.tif 000043
【図４２】
2018037342.tif 000044
【図４３】
2018037342.tif 000045
【図４４】
2018037342.tif 000046
【図４５】
2018037342.tif 000047
【図４６】
2018037342.tif 000048
【図４７】
2018037342.tif 000049